(57)【要約】  【課題】引き出し式の貯蔵室の実収納容積の増加を図りつつ、構造的強度の低下を抑止する。  【解決手段】断熱箱体１０１と、断熱箱体１０１の内方に形成される前面が開口する引出式の貯蔵室と、貯蔵室の前面開口を開閉自在に閉塞する引出扉２０１と、断熱箱体の貯蔵室を区画する仕切壁と、固定レールと移動レールとを有し、固定レールと移動レールとを予め組み込んだ状態で内箱壁又は仕切壁に固定し、引出扉と断熱箱体とを伸縮自在に接続するとともに貯蔵室の内部に備えた容器を前後に移動可能とするレール装置２０２と、を備えた冷蔵庫において、レール装置２０２は、引出扉２０１の上下方向中央部より下方、かつ左右方向両端部に接続されるとともに、容器２０６の底部の左右両端を支持したことにより、引き出し式の貯蔵室の実収納容積の増加を図ることができる。【選択図】図４Ａ
2009228948.tif 000002
【特許請求の範囲】
【請求項１】
内箱と外箱と前記内箱と前記外箱との間に充填した断熱材とよりなる断熱箱体と、前記断熱箱体の内方に形成される前面が開口する引出式の貯蔵室と、前記貯蔵室の前面開口を開閉自在に閉塞する引出扉と、前記断熱箱体の貯蔵室を区画する仕切壁と、固定レールと移動レールとを有し、前記固定レールと前記移動レールとを予め組み込んだ状態で前記内箱壁又は前記仕切壁に固定し、前記引出扉と前記断熱箱体とを伸縮自在に接続するとともに前記貯蔵室の内部に備えた容器を前後に移動可能とするレール装置と、を備えた冷蔵庫において、前記レール装置は、前記引出扉の上下方向中央部より下方、かつ左右方向両端部に接続されるとともに、前記容器の底部の左右両端を支持した冷蔵庫。
【請求項２】
前記引出扉は、前記レール装置の前記引出扉に接続される部分である基端部よりも奥側の前記レール装置と前記レール装置の基端部より上方の前記引出扉の部分とを接続した補強部材を備えた請求項１に記載の冷蔵庫。
【請求項３】
前記補強部材は、棒状体である請求項１または２に記載の冷蔵庫。
【請求項４】
前記補強部材は、前記補強部材の先端部にレール固定部を設け、前記レール装置は、前記レール装置の先端部近傍に前記レール固定部を固定するための鉤形状部を設けた請求項２から４のいずれか一項に記載の冷蔵庫。
【請求項５】
前記引出扉に直接に固定され、前記レール装置に沿って前記レール装置と接合され、前記レール装置を構造的に強化した強化部材を備えた請求項１から４のいずれか一項に記載の冷蔵庫。
【請求項６】
前記引出扉は、前記引出扉の奥側面のほぼ全面を覆う内側板を備え、前記内側板と前記レール装置の基端部とを接続する取付部材は、前記内側板を射出成形することにより前記内側板と一体成形した請求項１から４のいずれか一項に記載の冷蔵庫。
【請求項７】
前記引出扉は、前記引出扉の奥側面のほぼ全面を覆う内側板を備え、前記内側板と前記レール装置の基端部とを接続する取付部材は、前記内側板と別体である請求項１から４のいずれか一項に記載の冷蔵庫。
【請求項８】
前記容器は、前記容器の間口幅が前記容器の内底幅より大きくした請求項１から７のいずれか一項に記載の冷蔵庫。
【請求項９】
一組の前記レール装置は、同一平面上にレール取付部を備えた請求項１から８のいずれか一項に記載の冷蔵庫。
【請求項１０】
前記レール装置は、前記内箱を介してレール保持部材に取り付けられた請求項９に記載の冷蔵庫。
【請求項１１】
前記レール装置は、前記仕切壁を介してレール保持部材に取り付けられた請求項９に記載の冷蔵庫。
【請求項１２】
前記補強部材を備えた前記引出扉を複数の貯蔵室に設けた請求項２から１１のいずれか一項に記載の冷蔵庫。
【請求項１３】
前記補強部材は部分的に折り曲げた請求項２から１２のいずれか一項に記載の冷蔵庫。
【請求項１４】
前記容器と前記補強部材とを勘合させた請求項２から１３のいずれか一項に記載の冷蔵庫。
【発明の詳細な説明】
【技術分野】
【０００１】
本発明は、冷蔵庫に関し、特に引出式の貯蔵室を形成する引き出し構造に関する。
【背景技術】
【０００２】
従来、冷蔵庫は、奥まで無駄なく貯蔵できる、使い勝手がよい等の観点から、冷蔵庫の下段に引き出し式の貯蔵室を備えることが多い。このような引き出し式の貯蔵室は、貯蔵室を出し入れする際の円滑性、貯蔵室への食品の出し入れの容易性、および、貯蔵室を形成する容器の着脱の容易性などが求められている。
【０００３】
そこで、引き出し式の貯蔵室の使い勝手を向上させる技術も開示されている（例えば、特許文献１または特許文献２参照）。
【０００４】
図１０は、従来の冷蔵庫１００の側断面を示す図である。
【０００５】
図１０に示す従来の冷蔵庫１００は、断熱箱体１０１内に、冷蔵室１０２、温度変更が可能な切換室１０６、切換室１０６に併設された製氷室（図示せず）、野菜室１０３、および冷凍室１０４を貯蔵室として備えている。
【０００６】
断熱箱体１０１は、外箱１１２と内箱１１０と、外箱１１２および内箱１１０の間に充填された断熱材１１１と、で形成されている。
【０００７】
野菜室１０３の構成要素である容器２０６は、野菜室１０３の引出扉２０１に接続された２つのレール装置２０２に支持されている。
【０００８】
また、冷凍室１０４の構成要素である容器２０６は、冷凍室１０４の引出扉２０１に接続された２つのレール装置２０２に支持されている。
【０００９】
野菜室１０３および冷凍室１０４はそれぞれこのような構成であることにより、断熱箱体１０１に対して出し入れ可能な引き出し式の貯蔵室となっている。
【００１０】
ここで、従来の冷蔵庫において前面開口を閉塞するための引出扉２０１について説明する。
【００１１】
図１１は、引出扉を奥側から示す斜視図である。
【００１２】
図１１に示すように、引出扉２０１には、扉フレーム２０５が引出扉２０１に対して垂直突出状に取り付けられている。当該扉フレーム２０５は、引出扉２０１に取り付けられ、移動レールと固定レールを備えたレール装置２０２（図示せず）がスライド可能に係合し、引出扉２０１を垂直方向に起立させた状態のまま水平方向に引き出し押し戻すことができるようになっている。
【００１３】
図１２は、引出扉と容器との関係を冷蔵庫の奥側から示す断面図である。
【００１４】
図１２に示すように、容器２０６は、２本のレール装置２０２の間に配置され、容器２０６の高さ方向略中央部で２本のレール装置２０２に支持されている。また、容器２０６は、レールで支持されている部分から下方に向かって徐々に幅が狭くなる形状が採用されている。これは、容器２０６を成型する際には成形性確保のために金型の抜き勾配が必要となるためである。
【特許文献１】特開２００６−１７７６５３号公報
【特許文献２】特開２００６−２１４６４２号公報
【発明の開示】
【発明が解決しようとする課題】
【００１５】
ところが近年、冷蔵庫の外形寸法を維持しながら冷蔵庫の構成要素の配置等を工夫することなどにより実収納可能な内容積を増加させる傾向にある。
【００１６】
従来の引出式の貯蔵室が備える容器は、レール装置と係合する部分から下方に行くほど徐々に小さくなるような構成が採用されているため、断熱箱体１０１と容器２０６との間に、対象物を収納することのできない実収納無効部３００（図１２参照）が存在し、十分な収納容積を確保することが困難となっている。
【００１７】
これは、容器２０６を成型する際に金型の抜き勾配が必要となるため、レール装置２０２が配置された位置より下方にある容器２０６の幅は大きくすることができない。その結果、レール装置２０２が配置された場所の下方には、実収納無効部３００が存在することになっている。
【００１８】
また、金型を工夫し、レール装置２０２が配置された位置より下方にある容器２０６の実収納無効部３００を収納可能な形状にした場合、容器２０６の形状が歪になり、レール装置２０２の下部に存在する容器の収納空間は食品が取り出し難く、使い勝手の悪い引き出し収納を備えた冷蔵庫となる。
【００１９】
本願発明は、上記従来の課題を解決するもので、引き出し式の貯蔵室を備える冷蔵庫であって、引出式の貯蔵室に広い実収納容積を確保することのできる冷蔵庫の提供を目的とする。
【課題を解決するための手段】
【００２０】
上記従来の課題を解決するために、本願発明の冷蔵庫は、内箱と外箱と前記内箱と前記外箱との間に充填した断熱材とよりなる断熱箱体と、前記断熱箱体の内方に形成される前面が開口する引出式の貯蔵室と、前記貯蔵室の前面開口を開閉自在に閉塞する引出扉と、前記断熱箱体の貯蔵室を区画する仕切壁と、固定レールと移動レールとを有し、前記固定レールと前記移動レールとを予め組み込んだ状態で前記内箱壁又は前記仕切壁に固定し、前記引出扉と前記断熱箱体とを伸縮自在に接続するとともに前記貯蔵室の内部に備えた容器を前後に移動可能とするレール装置と、を備えた冷蔵庫において、前記レール装置は、前記引出扉の上下方向中央部より下方、かつ左右方向両端部に接続されるとともに、前記容器の底部の左右両端を支持したものである。
【００２１】
これによって、レール装置が容器の底部の左右両端に取り付けられているため、レール装置に支持される容器の大型化、大容積化を図ることが可能となる。
【発明の効果】
【００２２】
本発明の冷蔵庫は、引出式の貯蔵室において、広い実収納空間を確保することができる。
【発明を実施するための最良の形態】
【００２３】
請求項１に記載の発明は、内箱と外箱と前記内箱と前記外箱との間に充填した断熱材とよりなる断熱箱体と、前記断熱箱体の内方に形成される前面が開口する引出式の貯蔵室と、前記貯蔵室の前面開口を開閉自在に閉塞する引出扉と、前記断熱箱体の貯蔵室を区画する仕切壁と、固定レールと移動レールとを有し、前記固定レールと前記移動レールとを予め組み込んだ状態で前記内箱壁又は前記仕切壁に固定し、前記引出扉と前記断熱箱体とを伸縮自在に接続するとともに前記貯蔵室の内部に備えた容器を前後に移動可能とするレール装置と、を備えた冷蔵庫において、前記レール装置は、前記引出扉の上下方向中央部より下方、かつ左右方向両端部に接続されるとともに、前記容器の底部の左右両端を支持したことにより、レール装置が容器の底部の左右両端に取り付けられているため、レール装置に支持される容器の大型化、大容積化を図ることが可能となり、引出式の貯蔵室において、広い実収納空間を確保することができる。さらに、透明の容器と組み合わせることで、視認性を向上させることもできる。
【００２４】
請求項２に記載の発明は、請求項１に記載の発明において、前記引出扉は、前記レール装置の前記引出扉に接続される部分である基端部よりも奥側の前記レール装置と前記レール装置の基端部より上方の前記引出扉の部分とを接続した補強部材を備えたことにより、引出扉とレール装置との取付部が引出扉の下部に有ると、引出扉の上部を持って引き出したり押し戻したりした場合、引出扉とレール装置との取付部にかかるモーメントが比較的大きくなるが、取付部よりも上方に補強部材が取り付けられているため、引出扉とレール装置との取付部にかかるモーメントが小さくなるため、引出扉とレール装置との取付部を破損から保護することが可能となる。すなわち、レール装置が引出扉の下部に取り付けられることによる強度的問題点を、補強部材を用いることにより解決することが可能となる。また、使い易さの観点から、引き出し扉のハンドル部を上部に設けられた構成において、モーメントを効果的に小さくできることに対して、特に効果が大きい。
【００２５】
請求項３に記載の発明は、請求項１または２に記載の発明において、前記補強部材は、棒状体であることにより、補強部材を単純な棒状体とすることにより、比較的入手が容易で部品コストを低下させることが可能となる。また、容器外周を流れる風の流れを阻害することがなく、風路抵抗を抑制することができる。
【００２６】
請求項４に記載の発明は、請求項２から４のいずれか一項に記載の発明において、前記補強部材は、前記補強部材の先端部にレール固定部を設け、前記レール装置は、前記レール装置の先端部近傍に前記レール固定部を固定するための鉤形状部を設けたことにより、レール固定部をレール装置に設けられた鉤形状部に引っ掛けることにより、簡単な構成で、補強部材とレール装置とを確実に固定することができる。
【００２７】
請求項５に記載の発明は、請求項１から４のいずれか一項に記載の発明において、前記引出扉に直接に固定され、前記レール装置に沿って前記レール装置と接合され、前記レール装置を構造的に強化した強化部材を備えたことにより、容器を支持し、容器に収納される収納物の荷重を支持するレール装置の強度を向上させることができ、引出扉を引き出した際に発生するレール装置の撓みを防止し、スムーズに引出扉の出し入れを行うことが可能となる。
【００２８】
請求項６に記載の発明は、請求項１から４のいずれか一項に記載の発明において、前記引出扉は、前記引出扉の奥側面のほぼ全面を覆う内側板を備え、前記内側板と前記レール装置の基端部とを接続する取付部材は、前記内側板を射出成形することにより前記内側板と一体成形したことにより、内側板全体を射出成形で形成し、取付部材を内側板と一体で形成することで、部品点数を増すことなく、レール装置と引出扉とを接続できる。
【００２９】
請求項７に記載の発明は、請求項１から４のいずれか一項に記載の発明において、前記引出扉は、前記引出扉の奥側面のほぼ全面を覆う内側板を備え、前記内側板と前記レール装置の基端部とを接続する取付部材は、前記内側板と別体であることにより、内側板全体を射出成形で形成せず、真空成型で形成された肉薄で構造的に脆弱な内側板を用いることができ、取付部材は、内側板とは異なる材質等の条件を選択が可能となり、製造コストを抑制しつつ、必要な強度を確保することが可能となり、レール装置と引出扉とを接続できる。
【００３０】
請求項８に記載の発明は、請求項１から７のいずれか一項に記載の発明において、前記容器は、前記容器の間口幅が前記容器の内底幅より大きくしたことにより、容器の成型性を確保することができ、また、貯蔵室内に存在する無効収納空間が貯蔵室下方にできることになり、その空間にレール装置を配置することにより、容器内の収納可能空間を最大に広げることが可能となる。
【００３１】
請求項９に記載の発明は、請求項１から８のいずれか一項に記載の発明において、一組の前記レール装置は、同一平面上にレール取付部を備えたことにより、容器の左右に取り付けられたレール装置が、同一高さ位置に設置することができ、その結果、引出扉の平行度が確保されることにより、冷蔵庫の外観品位が確保できる。
【００３２】
請求項１０に記載の発明は、請求項９に記載の発明において、前記レール装置は、前記内箱を介してレール保持部材に取り付けられたことにより、レール装置に掛かる荷重と同方向にレール保持部材が存在するため、レール装置に掛かる荷重を効率良く受けられるため、レール装置の強度向上を図ることができる。
【００３３】
請求項１１に記載の発明は、請求項９に記載の発明において、前記レール装置は、前記仕切壁を介してレール保持部材に取り付けられたことにより、レール装置に掛かる荷重と同方向にレール保持部材が存在するため、レール装置に掛かる荷重を効率良く受けられるため、レール装置の強度向上を図ることができる。また、レール保持部材は、仕切壁の組立てと同一工程で組立てることができ、その後、内箱に仕切壁を組み込みことが可能となるため、レール保持部材を取り付けるにあたっては、内箱組立て工程よりも仕切壁組立て工程の方が、組立て工程に必要となる作業空間が小さく行えるため、作業性の向上を図ることができる。
【００３４】
請求項１２に記載の発明は、請求項２から１１のいずれか一項に記載の発明において、前記補強部材を備えた前記引出扉を複数の貯蔵室に設けたことにより、冷蔵庫の引出式の貯蔵室内の空間を、より有効に実収納空間をして利用することが可能となり、冷蔵庫の収納量の増大を図ることができる。
【００３５】
請求項１３に記載の発明は、請求項２から１２のいずれか一項に記載の発明において、前記補強部材は部分的に折り曲げたことにより、容器の支持する部分を高い位置で、より長く設けることが可能となり、容器の左右を確実に支持することができ、保持し易くなる。また、補強部材を外側に広げる方向へ曲げることで、容器の形状が補強部材によって制限される位置が広がるため、補強部材が存在する位置の容器の幅を広げることが可能となり、容器をさらに大きくすることが可能である。
【００３６】
請求項１４に記載の発明は、請求項２から１３のいずれか一項に記載の発明において、前記容器と前記補強部材とを勘合させたことにより、容器の位置規制を確実に行うことができ、さらに容器の左右変形をより抑制することができる。
【００３７】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３８】
（実施の形態１）
図１は、本発明の実施の形態１における冷蔵庫の正面図である。
【００３９】
図１に示すように、本実施の形態にかかる冷蔵庫１００は、観音開き式の扉を上部に備える冷蔵庫１００であり、冷蔵庫１００の内方と外方とを断熱状態で隔てる断熱箱体１０１内に複数に区画された貯蔵室を備えている。
【００４０】
冷蔵庫１００の内の複数に区画された貯蔵室は、その機能（冷却温度）によって冷蔵室１０２、製氷室１０５、庫内の温度が変更できる切換室１０６、野菜室１０３、および冷凍室１０４等と区別して称されることがある。
【００４１】
冷蔵庫１００の最上部に位置する冷蔵室１０２の前面開口部には、例えばウレタンのような発泡断熱材を発泡充填した回転式の断熱扉１０７が設けられ、棚状の収納空間となっている。
【００４２】
また、冷蔵室１０２の下方に配置される製氷室１０５、切換室１０６、野菜室１０３、および冷凍室１０４は引出式の収納空間となされている。
【００４３】
断熱箱体１０１は、金属製の外箱１１２と樹脂製の内箱１１０との間に例えば硬質発泡ウレタンなどの断熱材１１１を充填して形成される少なくとも一面が開口した直方体の箱体である。この断熱箱体１０１は、外方の雰囲気（大気）から断熱箱体１０１の内方に流入しようとする熱を遮断する機能を有している。
【００４４】
冷蔵室１０２は、冷蔵保存のために収容物が凍らない程度の低い温度に維持される貯蔵室である。具体的な温度の下限としては、通常１〜５℃で設定されている。
【００４５】
野菜室１０３は、断熱箱体１０１の最下部に配置され、主として野菜の冷蔵を目的とした貯蔵室である。また、野菜室１０３は、冷蔵室１０２と同等もしくは若干高い温度設定となされている。具体な温度の下限としては、２℃〜７℃である。なお、低温にするほど葉野菜の鮮度を長期間維持することが可能である。
【００４６】
冷凍室１０４は、冷凍温度帯に設定される貯蔵室である。具体的には、冷凍保存のために通常−２２〜−１８℃で設定されているが、冷凍保存状態の向上のために、たとえば−３０や−２５℃の低温で設定されることもある。
【００４７】
製氷室１０５は、内方に製氷機（図示せず）を設け製氷機で氷を作りその氷を保存する貯蔵室である。設定温度は冷凍室１０４とほぼ同等である。
【００４８】
切換室１０６は、冷蔵庫１００に取り付けたれた操作盤により、用途に応じ冷蔵温度帯から冷凍温度帯まで切り換えることができる。
【００４９】
これらの異なる温度帯を複数に区画するために、断熱箱体１０１内のそれぞれの温度帯の間には仕切壁１０８が設置されている。
【００５０】
図２は、本発明の実施の形態１における冷蔵庫の縦断面図であり、図１におけるＡ−Ａ線で切断した状態を示している。
【００５１】
図２に示すように、冷蔵庫１００に備えられる貯蔵室のうち引出式の貯蔵室には、前面開口を閉塞する引出扉２０１と、引出扉２０１と断熱箱体１０１とを伸縮自在に接続するとともに貯蔵室の内部に備えた容器２０６を前後に移動可能とするレール装置２０２とが設けられている。さらに、冷蔵庫１００は、扉フレーム２０５と、容器２０６と、を備えている。
【００５２】
ここで、扉フレーム２０５は、特許請求の範囲での「強化部材」に相当する。
【００５３】
引出扉２０１は、貯蔵室の開口を開閉自在に閉塞することができる断熱性を備えた板状の部材であり、奥側周縁にパッキン２０７を備えている。当該パッキン２０７は、引出扉２０１が貯蔵室の開口を閉塞した状態で断熱箱体１０１等と密着し、冷気が漏れるのを防いでいる。
【００５４】
図３は、本発明の実施の形態１における冷蔵庫のレール装置を示す斜視図である。
【００５５】
図３に示すように、レール装置２０２は、三段に重ねられた三つのレールを有し、第２レール（ミドルレール２２１）が第１レール（キャビネットレール２２２）に対して移動可能であり、かつ、第３レール（トップレール２０３）が第２レール（ミドルレール２２１）に対して移動可能であることにより、全体として伸縮可能である。
【００５６】
トップレール２０３とミドルレール２２１とが、特許請求の範囲での「移動レール」に相当し、キャビネットレール２２２が、特許請求の範囲での「固定レール」に相当する。
【００５７】
固定レールと移動レールは、それぞれ回転支持部材（図示せず）で支持され、固定レールと移動レールを予め組み込んだ状態で、レール装置２０２を内箱１１０壁に固定する。
【００５８】
レール装置２０２は、キャビネットレール２２２のレール取付部２２３が断熱箱体１０１の内箱１１０に取り付けられ、また、レール装置２０２は、トップレール２０３とミドルレール２２１とキャビネットレール２２２とが相互にスライド自在となされることで、レール装置２０２全体として伸縮自在となっている。従って、引出扉２０１は、レール装置２０２の伸縮軌道に沿って断熱箱体１０１に対し引き出されたり押し戻されたりすることが可能となっている。
【００５９】
図４Ａは、本発明の実施の形態１における冷蔵庫の扉フレームによって引出扉とレール装置とを接続した状態を示す斜視図である。
【００６０】
図４Ａに示すように、引出扉２０１は、奥側面のほぼ全面を覆う内側板２１１と、扉フレーム２０５と、を備えている。内側板２１１は、引出扉２０１を構成する部材の一つであり、真空成形により形成される板状の部材である。内側板２１１に直接に固定された扉フレーム２０５は、ビスなどを用いてトップレール２０３に接続されることにより、引出扉２０１は、レール装置２０２の機能により引き出されたり押し戻されたりすることが可能となっている。
【００６１】
引出扉２０１、特に引出扉２０１の上端部を持って引き出したり押し戻したりしたときに発生する応力が、トップレール２０３の基端部に集中するのを緩和するため、扉フレーム２０５の基端部は、三角形の薄板状部２８１になっている。扉フレーム２０５は、扉フレーム２０５の一辺に対応する端縁が引出扉２０１の内側板２１１に沿うように折曲される折曲部２４１を備えており、折曲部２４１は、トップレール２０３の基端部より上方の引出扉２０１の部分に取り付けられている。三角形の薄板状部２８１を扉フレーム２０５に設けることで、扉フレーム２０５と引出扉２０１との固定部の大きさを高さ方向に大きくすることにより、引出扉２０１に対して下部に取り付けられているレール装置２０２と引出扉２０１との取付部の強度不足を補い、スムーズな引出扉の開閉を行うことが可能となる。
【００６２】
また、引出扉２０１を持って引き出したり押し戻したりした場合であっても、応力がトップレール２０３の取付部に集中することはなく、折曲部２４１や扉フレーム２０５を介して接続されている部分に分散するため、全体として引出扉２０１とトップレール２０３との取付強度を向上することが可能となる。これは、トップレール２０３が引出扉２０１の下部に取り付けられている本実施の形態のような場合には、特に有効である。
【００６３】
仮に、レール装置２０２を引出扉２０１の上下方向中央部付近に取り付けた場合において必要となる最低限の強度を確保した扉フレーム２０５を用いて、本実施の形態の位置と同様に、レール装置２０２を引出扉２０１の上下方向中央部より下方に配置した状態で、引出扉２０１を前後に開閉操作を行った場合、扉フレーム２０５の引出扉２０１との固定部側の強度不足により、扉フレーム２０５、若しくは内側板２１１に変形が起こり、結果として、引出扉２０１に備えられているパッキン２０７が断熱箱体１０１から離れ、隙が発生し、冷蔵庫内に着霜等の品質不良へと繋がる可能性もある。
【００６４】
引出扉２０１とトップレール２０３との取付部が引出扉２０１の下部に有ると、引出扉２０１の上部を持って引き出したり押し戻したりした場合、取付部にかかるモーメントが比較的大きくなるが、本実施の形態は、取付部よりも上方に三角形の薄板状部２８１を設けた扉フレーム２０５が取り付けられているため、取付部にかかるモーメントが小さくなるためトップレール２０３の取付部を破損から保護することが可能となる。つまり、本実施の形態では、三角形の薄板状部２８１を設けた扉フレーム２０５を設けることで、引っ張り力の支点となる位置を上方とすることができる。
【００６５】
図４Ｂは、本発明の実施の形態１における冷蔵庫のレール装置の間に容器を配置した状態を奥側から示す断面図である。
【００６６】
図４Ｂに示すように、容器２０６は、野菜やペットボトルに充填された飲料、冷凍食品などを収容するための容器であり、上面が開口した樹脂製の箱体である。容器２０６は、下部の両端部に内方に向く段部２６２が形成されるように幅が狭い狭幅部２６１を備えている。そして容器２０６は、狭幅部２６１が２本のトップレール２０３の間に配置され、段部２６２が扉フレーム２０５の上面に載置されることで、トップレール２０３に支持される。
【００６７】
このように、トップレール２０３が引出扉２０１の下部の両角に設けられているため、容器２０６の内、幅を狭くしなければならない狭幅部２６１をできる限り短く抑えることが可能となる。従って、容器２０６は、収納容積ができる限り広くなるような形状を採用することが可能となる。
【００６８】
図５は、本発明の実施の形態１における冷蔵庫のレール装置と容器の配置を示した要部拡大図である。
【００６９】
本実施の形態では、図５の（Ａ）に示すように、容器２０６は、下部の両端部に内方に向く段部２６２が形成されるように幅が狭い狭幅部２６１を備えるものとしたが、図５の（Ｂ）や図５の（Ｃ）に示すように、容器２０６の側面はほぼストレート形状とし、容器２０６は段部２６２を設けないで、レール装置２０２は、容器２０６の底部の左右両端の側方で支持したり（図５の（Ｂ）参照）、あるいは、容器２０６の底部の左右両端の下方で支持したり（図５の（Ｃ）参照）してもよい。なお、図５では、レール装置２０２と容器２０６の位置関係を示すものであって、扉フレーム２０５は、省略して図示していない。
【００７０】
（実施の形態２）
図６は、本発明の実施の形態２における冷蔵庫の引出扉を冷蔵庫から取り出した状態で示す斜視図である。
【００７１】
補強部材２０４は、引出扉２０１、特に引出扉２０１の上端部を持って引き出したり押し戻したりしたときに発生する力の多くを、引出扉２０１の上下方向の上部と、レール装置２０２の先端部分で受け止めるための部材であり、丸棒状となっている。
【００７２】
補強部材２０４は、基端部がレール装置２０２の基端部より上方であって引出扉２０１の上下方向中央部よりも上部に取り付けられ、先端部がトップレール２０３の基端部よりも奥側であってトップレール２０３の先端近傍部分に取り付けられている。補強部材２０４の基端部には、取付板２４２が補強部材２０４と一体成形されており、取付板２４２が内側板２１１の裏側の発泡断熱材内に固定された平板状の金属板（図示せず）に、内側板２１１を介してビス等により固定されている。
【００７３】
これにより、引出扉２０１を持って引き出したり押し戻したりした場合であっても、補強部材２０４と内側板２１１とトップレール２０３とで大きな三角形が形成されるため、これら全体が歪みにくくなり、結果として図４Ａで示した扉フレーム２０５を大型化した場合と同等の効果が得られることになり、トップレール２０３と引出扉２０１との取付強度を向上させることが可能となる。
【００７４】
なお、図４Ａに示すように、レール装置２０２を引出扉２０１の上下方向中央部より下方、かつ、左右方向両端部に取り付ける場合、引出扉２０１とレール装置２０２とを結合する扉フレーム２０５に強度が求められるため、扉フレーム２０５の基端部は、三角形状の薄板になっており、扉フレーム２０５自体の形状が大きくなり、扉フレーム２０５を成形するために必要となる材料の量が増加するが、本実施の形態のように、丸棒状の補強部材２０４を用いることで、強度を確保するための必要な材料を削減できる。
【００７５】
また、丸棒状であることにより、空気抵抗が少なくなり、容器２０６外周を流れる風の流れを阻害することなく、効率よく冷却することができる。
【００７６】
また、容器２０６を底面で支持することにより、容器２０６の変形や、位置ズレ、ガタツキ等が発生するなどにより、開閉動作が悪化し、最悪の場合は引出扉２０１が完全に閉まらないといった問題が懸念される。このとき、容器２０６側方に補強部材２０４を配置することで、容器２０６の変形を抑制でき、上記の問題を解決することができる。特に、手前部に大物収納が可能な収納形態の容器に対して、手前上部を左右方向を抑止することは効果がある。
【００７７】
さらに、容器２０６の上部に別の容器が摺動する二段容器構造とする場合は、容器２０６の間口が広がるなどの変形をすると上段容器の摺動性が劣化するため、容器２０６左右と補強部材２０４とを勘合する構造を設けることで、上記問題点を解決できる。
【００７８】
ここで、丸棒状は加工が容易であり、手が触れたときの安全性という観点から、補強部材２０４を丸棒状としたが、四角柱の棒状や、これら以外の形状でも構わない。
【００７９】
また、トップレール２０３の基端部から、補強部材２０４が取り付けられる部分の手前に渡って標準的な大きさの扉フレーム２０５が取り付けられている。これは、収納物の荷重を支持するトップレール２０３の構造的強度を向上させるためである。なお、図６中において、扉フレーム２０５はトップレール２０３の基端部からトップレール２０３の先端部近傍にまで渡って取り付けられているが、扉フレーム２０５は、比較的短くすることも可能である。
【００８０】
また、本実施の形態では、補強部材２０４は、補強部材２０４の先端部がトップレール２０３の先端部近傍と接続されるものとしたが、補強部材２０４の先端部が扉フレーム２０５の先端部近傍に接続され、その後、補強部材２０４を取り付けた扉フレーム２０５をトップレール２０３に接合してもかまわない。
【００８１】
トップレール２０３は、引出扉２０１の奥側面に設けられている内側板２１１に対し、略垂直に突出状態で取り付けられている。またトップレール２０３は、引出扉２０１の上下方向中央部より下方であって、本実施の形態の場合、内側板２１１の下端部近傍に取り付けられている。さらに、引出扉２０１に対し２本のトップレール２０３が左右対称に取り付けられており、２本のトップレール２０３の左右方向の取付け位置は、内側板２１１の両端部である。すなわち、トップレール２０３は、内側板２１１の下部の両角部に略垂直で突出状に取付け部材２１２を介して取り付けられている。
【００８２】
ここで、「略垂直」という語は、垂直、または、合理的に垂直とみなせる範囲を示すものとして用いている。
【００８３】
補強部材２０４を備えた引出扉を複数の貯蔵室に設けたことにより、冷蔵庫の引出式の貯蔵室内の空間を、より有効に実収納空間をして利用することが可能となり、冷蔵庫の収納量の増大を図ることができる。
【００８４】
なお、実施の形態１および実施の形態２では、レール装置２０２は引出扉２０１に対して、扉フレーム２０５を介して接続されたが、後述する、実施の形態３および実施の形態４で示すように、レール装置２０２は引出扉２０１に対して、扉フレーム２０５を介さずに、レール装置２０２が直接に引出し扉２０１に接続されるものでもかまわない。
【００８５】
すなわち、特許請求の範囲で示す「接続」とは、レール装置２０２が扉フレーム２０５を介して引出扉２０１に取り付けられるものと、また、レール装置２０２が扉フレーム２０５を介さず直接に引出扉２０１に取り付けられるものと、の両方を含むものである。
【００８６】
なお、実施の形態１および実施の形態２では、容器２０６はレール装置２０２に対して、扉フレーム２０５を介して支持されたが、後述する、実施の形態３および実施の形態４で示すように、容器２０６はレール装置２０２に対して、扉フレーム２０５を介さずに、容器２０６が直接にレール装置２０２に支持されるものでもかまわない。
【００８７】
すなわち、特許請求の範囲で示す「支持」とは、容器２０６が扉フレーム２０５を介してレール装置２０２に支持されるものと、また、容器２０６が扉フレーム２０５を介さず直接にレール装置２０２に支持されるものと、の両方を含むものである。
【００８８】
（実施の形態３）
図７Ａは、本発明の実施の形態３における冷蔵庫の内側板を射出成形で形成した引出扉を冷蔵庫から取り出した状態を示す斜視図である。
【００８９】
なお、同図中上記と同様の機能を備える部分または部材には同じ符号を付している。また、上記と同様の説明となる部材や部分等については、その説明を省略する。
【００９０】
図７Ａに示すように、補強部材２０４は、引出扉２０１、特に引出扉２０１の上端部を持って引き出したり押し戻したりしたときに発生する力の多くを、引出扉２０１の上下方向の上部と、レール装置２０３の先端部分で受け止めるための部材であり、丸棒状となっている。また、内側板２１１全体を射出成形で形成し、トップレール２０３の取付部材２１２を内側板２１１と一体で形成した。
【００９１】
補強部材２０４を内側板２１１とトップレール２０３の先端部に取り付けられていることにより、トップレール２０３の基端部の内側板２１１との取付け部に求められる強度が小さくなる。
【００９２】
また、内側板２１１全体を射出成形で形成することにより、内側板２１１の部分的な補強がリブ等によって可能となり、内側板２１１自体の強度を向上できる。内側板２１１によって、トップレール２０３の取付部材２１２を形成することにより、トップレール２０３先端部を固定するために用いられていた扉フレーム２０５が不必要となる。
【００９３】
また、内側板２１１に基端部を固定された補強部材２０４の先端にレール固定部２５０を設け、補強部材２０４の先端に設けたレール固定部２５０をトップレール２０３に設けられた鉤形状部２８０に引っ掛けることにより、簡単な構成で、補強部材２０４とレール装置２０２とを確実に固定することができる。その後、トップレール２０３の基端部を内側板２１１の取付部材２１２に固定する。
【００９４】
内側板２１１全体を射出成形で形成し、取付部材２１２を内側板２１１と一体で形成することで、部品点数を増すことなく、レール装置と引出扉とを接続できる。
【００９５】
なお、図７Ａに示すように、丸棒状の補強部材２０４は、直線ばかりでなく部分的に折れ曲がっていてもかまわない。つまり、補強部材２０４を部分的に折れ曲げることにより、容器２０６の支持する部分を高い位置で、より長く設けることが可能となり、容器２０６の左右を確実に支持することができ、保持し易くなる。
【００９６】
また、補強部材２０４を外側に広げる方向へ曲げることで、容器２０６の形状が補強部材２０４によって制限される位置が広がるため、補強部材２０４が存在する位置の容器２０６の幅を広げることが可能となり、容器２０６をさらに大きくすることが可能である。
【００９７】
図７Ｂは、本発明の実施の形態３における冷蔵庫のレール装置の間に容器を配置した状態を奥側から示す断面図である。
【００９８】
図７Ｂに示すように、容器２０６は、野菜やペットボトルに充填された飲料、冷凍食品などを収容するための容器であり、上面が開口した樹脂製の箱体である。容器２０６は、下部の両端部に内方に向く段部２６２が形成されるように幅が狭い狭幅部２６１を備えている。そして容器２０６は、狭幅部２６１が２本のトップレール２０３の間に配置され、段部２６２がトップレール２０３の上面に載置されることで、トップレール２０３に支持される。
【００９９】
このように、トップレール２０３が引出扉２０１の下部の両角に設けられているため、容器２０６の内、幅を狭くしなければならない狭幅部２６１をできる限り短く抑えることが可能となる。従って、容器２０６は、収納容積ができる限り広くなるような形状を採用することが可能となる。
【０１００】
なお、本実施の形態では、図７Ｂに示すように、容器２０６は、下部の両端部に内方に向く段部２６２が形成されるように幅が狭い狭幅部２６１を備えるものとしたが、図５の（Ｂ）や図５の（Ｃ）に示すように、容器２６１の側面はほぼストレート形状とし、容器２６１は段部２６２を設けないで、レール装置２０２は、容器２０６の底部の左右両端の側方で支持したり（図５の（Ｂ）参照）、あるいは、容器２０６の底部の左右両端の下方で支持したり（図５の（Ｃ）参照）してもよい。
【０１０１】
また、図７Ｂに示すように、補強部材２０４に容器２０６のフランジ部を引っ掛け、勘合させることにより、容器２０６の位置規制を確実に行うことができ、さらに容器２０６の左右変形をより抑制することができる。容器２０６の取り外しの観点からも、引出扉２０１とレール装置２０２とが組立てられた状態の引出扉に、容器２０６を上から置くように設置することにより、容器２０６と補強部材２０４との勘合が可能であり、容器２０６の清掃などで容器２０６を取り外す際でも容易に取り外しを行うことができ、使い勝手のよい冷蔵庫を提供することができる。
【０１０２】
なお、本実施の形態では、補強部材２０４と容器２０６との勘合手段としては、成型性の観点から、容器２０６のフランジ部を引っ掛けて勘合する手段を用いた。別の手段としては、容器２０６に突起形状を設ける等により勘合を行うことが可能である。
【０１０３】
また、本実施の形態では、扉フレーム２０５が存在しない状態で補強部材２０４と容器２０６との勘合を説明したが、補強部材２０４と容器２０６とを勘合する形態は、扉フレーム２０５の有無に関わらず可能である。
【０１０４】
図８は、本発明の実施の形態３における冷蔵庫のレール装置の保持形態における斜視図である。
【０１０５】
図８に示すように、キャビネットレール２２２のレール取付部２２３を下部に配置した場合、内箱１１０又は仕切壁１０８にビス２７１によって固定される。なお、図８中では、内箱１１０又は仕切壁１０８は省略しており、図示していない。このとき、取り付け面となる内箱１１０又は仕切壁１０８は主に樹脂によって成型されているため、内箱１１０又は仕切壁１０８に直接ビス２７１を固定しても、レール装置２０２にかかる荷重に耐え得る強度が確保できない。そこで、レール装置２０２を確実に固定する手段として、レール装置２０２は、内箱１１０や仕切壁１０８を介して、レール保持部材２７０に取り付ける。レール保持部材２７０は主に鉄などの金属材料によって形成される。また、レール保持部材２７０を断熱材１１１内に埋没させることにより、レール保持部材２７０の保持力をより向上させることが可能となる。
【０１０６】
さらに、レール保持部材２７０は、仕切壁１０８に取り付けられる場合、仕切壁１０８組立て時に、レール保持部材２７０も一緒に組立て、その後、内箱１１０に組み込み、発泡断熱材を充填する。
【０１０７】
また、固定レールであるキャビネットレール２２２のレール取付部２２３を下部に配置し、内箱１１０又は仕切壁１０８に固定する。これにより、レール装置２０２が取り付け易くなり、また、容器２０６の底部の幅を大きくすることが可能となり、収納量の増量ができる。
【０１０８】
（実施の形態４）
図９は、本発明の実施の形態４における冷蔵庫の引出扉を冷蔵庫から取り出した状態を示す斜視図である。
【０１０９】
本実施の形態が、実施の形態３と異なるのは、内側板２１１とレール装置２０２のトップレール２０３の基端部とを接続する取付部材２１２が、内側板２１１と一体化か別体かである点であるので、実施の形態３とは異なる部分を中心に説明する。
【０１１０】
図９に示すように、内側板２１１とレール装置２０２のトップレール２０３の基端部とを接続する取付部材２１２は、内側板２１１と別体である。
【０１１１】
これによれば、内側板２１１全体を射出成形で形成せず、真空成型で形成された肉薄で構造的に脆弱な内側板２１１を用いることができ、取付部材２１２は、形状や材質等の条件を内側板２１１とは異なる選択が可能となる。これにより、製造コストを抑制しつつ、必要な強度を確保することが可能となる。
【０１１２】
具体的には、取付部材２１２の材質としては、ＡＢＳやＰＳやＰＰである。
【産業上の利用可能性】
【０１１３】
以上のように、本願発明にかかる冷蔵庫は、広い実収納空間を確保することができるので、引き出し式の貯蔵室を備える冷蔵庫に利用可能であり、さらに、引き出しを備えたユニットキッチンなどにも展開が可能である。
【図面の簡単な説明】
【０１１４】
【図１】本発明の実施の形態１における冷蔵庫の正面図
【図２】図１のＡ−Ａ線切断面を示す図
【図３】本発明の実施の形態１における冷蔵庫のレール装置を示す斜視図
【図４Ａ】本発明の実施の形態１における冷蔵庫の扉フレームによって引出扉とレール装置とを接続した状態を示す斜視図
【図４Ｂ】本発明の実施の形態１における冷蔵庫のレール装置の間に容器を配置した状態を奥側から示す断面図
【図５】本発明の実施の形態１における冷蔵庫のレール装置と容器の配置を示した要部拡大図
【図６】本発明の実施の形態２における冷蔵庫の引出扉を冷蔵庫から取り出した状態で示す斜視図
【図７Ａ】本発明の実施の形態３における冷蔵庫の内側板を射出成形で形成した引出扉を冷蔵庫から取り出した状態を示す斜視図
【図７Ｂ】本発明の実施の形態３における冷蔵庫のレール装置の間に容器を配置した状態を奥側から示す断面図
【図８】本発明の実施の形態３における冷蔵庫のレール装置の保持形態における斜視図
【図９】本発明の実施の形態４における冷蔵庫の引出扉を冷蔵庫から取り出した状態を示す斜視図
【図１０】従来の冷蔵庫を示す断面図
【図１１】従来の引出扉とレールとの関係を示す斜視図
【図１２】従来のレールと容器との関係を示す断面図
【符号の説明】
【０１１５】
１００  冷蔵庫
１０１  断熱箱体
１０２  冷蔵室
１０３  野菜室（貯蔵室）
１０４  冷凍室（貯蔵室）
１０５  製氷室
１０６  切換室
１０７  断熱扉
１０８  仕切壁
１１０  内箱
１１１  断熱材
１１２  外箱
２０１  引出扉
２０２  レール装置
２０３  トップレール（移動レール）
２０４  補強部材
２０５  扉フレーム（強化部材）
２０６  容器
２０７  パッキン
２１１  内側板
２１２  取付部材
２１３  リブ
２２１  ミドルレール（移動レール）
２２２  キャビネットレール（固定レール）
２２３  レール取付部
２４１  折曲部
２４２  取付板
２５０  レール固定部
２６１  狭幅部
２６２  段部
２７０  レール保持部材
２７１  ビス
２８０  鉤形状部
３００  実収納無効部
【図１】
2009228948.tif 000003
【図２】
2009228948.tif 000004
【図３】
2009228948.tif 000005
【図４Ａ】
2009228948.tif 000006
【図４Ｂ】
2009228948.tif 000007
【図５】
2009228948.tif 000008
【図６】
2009228948.tif 000009
【図７Ａ】
2009228948.tif 000010
【図７Ｂ】
2009228948.tif 000011
【図８】
2009228948.tif 000012
【図９】
2009228948.tif 000013
【図１０】
2009228948.tif 000014
【図１１】
2009228948.tif 000015
【図１２】
2009228948.tif 000016